(57)【要約】【課題】静止画撮影可能な画角が離散的である撮像装置において、ライブビューの表示画角と静止画撮影可能な画角とが異なるタイミングで静止画撮影指示があったときに、ユーザの意図に沿った画角で撮影されるようにする。【解決手段】ライブビュー中に撮像素子１４から出力される画像を変倍して連続的に表示画角を変更している状態で、静止画撮影指示があったときのライブビューの表示画角と同じ画角で静止画の撮影ができない場合、広角側で該ライブビューの表示画角に最も近い静止画撮影可能な画角と、望遠側で該ライブビューの表示画角に最も近い静止画撮影可能な画角とのうち、該ライブビューの表示画角に近い方を選択する。【選択図】図１
2014206592.tif 000002
【特許請求の範囲】
【請求項１】
被写体像を画像信号に変換する撮像素子を備え、前記撮像素子から出力される画像を周期的に表示部に表示するライブビューを実行する撮像装置であって、
静止画撮影するときの画角を決定する画角決定手段を備え、
前記画角決定手段は、ライブビュー中に前記撮像素子から出力される画像を変倍して連続的に表示画角を変更している状態で、静止画撮影指示があったときのライブビューの表示画角と同じ画角で静止画の撮影ができない場合、広角側で該ライブビューの表示画角に最も近い静止画撮影可能な画角、或いは望遠側で該ライブビューの表示画角に最も近い静止画撮影可能な画角を選択することを特徴とする撮像装置。
【請求項２】
前記画角決定手段は、静止画撮影指示があったときのライブビューの表示画角と同じ画角で静止画の撮影ができない場合、広角側で該ライブビューの表示画角に最も近い静止画撮影可能な画角と、望遠側で該ライブビューの表示画角に最も近い静止画撮影可能な画角とのうち、該ライブビューの表示画角に近い方を選択することを特徴とする請求項１に記載の撮像装置。
【請求項３】
前記画角決定手段は、静止画撮影指示があったときのライブビューの表示画角と同じ画角で静止画の撮影ができない場合、広角側で該ライブビューの表示画角に最も近い静止画撮影可能な画角を選択することを特徴とする請求項１に記載の撮像装置。
【請求項４】
被写体を検出する検出手段を更に備え、
前記画角決定手段は、静止画撮影指示があったときのライブビューの表示画角と同じ画角で静止画の撮影ができない場合で、更に前記検出手段で検出される被写体が動いている場合、広角側で該ライブビューの表示画角に最も近い静止画撮影可能な画角を選択することを特徴とする請求項３に記載の撮像装置。
【請求項５】
被写体を検出する検出手段を更に備え、
前記画角決定手段は、静止画撮影指示があったときのライブビューの表示画角と同じ画角で静止画の撮影ができない場合で、更に前記検出手段で検出される被写体が前記ライブビューの表示画角の端にある場合、広角側で該ライブビューの表示画角に最も近い静止画撮影可能な画角を選択することを特徴とする請求項３に記載の撮像装置。
【請求項６】
前記ライブビューの過去のフレームと現在のフレームとの差分を取得する取得手段を更に備え、
前記画角決定手段は、静止画撮影指示があったときのライブビューの表示画角と同じ画角で静止画の撮影ができない場合で、更に前記取得手段で取得される差分が前記ライブビューの表示画角の端の方にある場合、広角側で該ライブビューの表示画角に最も近い静止画撮影可能な画角を選択することを特徴とする請求項３に記載の撮像装置。
【請求項７】
前記画角決定手段は、静止画撮影指示があったときのライブビューの表示画角と同じ画角で静止画の撮影ができない場合、望遠側で該ライブビューの表示画角に最も近い静止画撮影可能な画角を選択することを特徴とする請求項１に記載の撮像装置。
【請求項８】
被写体を検出する検出手段を更に備え、
前記画角決定手段は、静止画撮影指示があったときのライブビューの表示画角と同じ画角で静止画の撮影ができない場合で、更に前記検出手段で検出される被写体が前記ライブビューの表示画角の中心付近にある場合、望遠側で該ライブビューの表示画角に最も近い静止画撮影可能な画角を選択することを特徴とする請求項７に記載の撮像装置。
【請求項９】
被写体を検出する検出手段を更に備え、
前記画角決定手段は、静止画撮影指示があったときのライブビューの表示画角と同じ画角で静止画の撮影ができない場合で、更に前記検出手段で検出される被写体が予め決められた大きさよりも小さい場合、望遠側で該ライブビューの表示画角に最も近い静止画撮影可能な画角を選択することを特徴とする請求項７に記載の撮像装置。
【請求項１０】
前記画角決定手段は、静止画撮影指示があったときのライブビューの表示画角と同じ画角で静止画の撮影ができない場合で、更に連写モードが選択されている場合、望遠側で該ライブビューの表示画角に最も近い静止画撮影可能な画角を選択することを特徴とする請求項７に記載の撮像装置。
【請求項１１】
被写体像を画像信号に変換する撮像素子を備え、前記撮像素子から出力される画像を周期的に表示部に表示するライブビューを実行する撮像装置の制御方法であって、
ライブビュー中に前記撮像素子から出力される画像を変倍して連続的に表示画角を変更している状態で、静止画撮影指示があったときのライブビューの表示画角と同じ画角で静止画の撮影ができない場合、広角側で該ライブビューの表示画角に最も近い静止画撮影可能な画角、或いは望遠側で該ライブビューの表示画角に最も近い静止画撮影可能な画角を選択するステップを有することを特徴とする撮像装置の制御方法。
【請求項１２】
被写体像を画像信号に変換する撮像素子を備え、前記撮像素子から出力される画像を周期的に表示部に表示するライブビューを実行する撮像装置を制御するためのプログラムであって、
ライブビュー中に前記撮像素子から出力される画像を変倍して連続的に表示画角を変更している状態で、静止画撮影指示があったときのライブビューの表示画角と同じ画角で静止画の撮影ができない場合、広角側で該ライブビューの表示画角に最も近い静止画撮影可能な画角、或いは望遠側で該ライブビューの表示画角に最も近い静止画撮影可能な画角を選択する処理をコンピュータに実行させるためのプログラム。
【発明の詳細な説明】
【技術分野】
【０００１】
本発明は、ライブビュー中に撮像素子から出力される画像を変倍して連続的に表示画角を変更するライブビュー電子ズームを実行する撮像装置、その制御方法及びプログラムに関する。
【背景技術】
【０００２】
デジタルビデオカムコーダーやレンズを内蔵或いは装着可能なデジタルカメラでは、光学的に像の倍率を変換する光学変倍手段（以後、光学ズームと言う）と合わせて、画像データを信号処理によって縮小或いは拡大する電子変倍手段（以後、電子ズームと言う）を備えたものが一般的となっている。
特にコンパクトデジタルカメラでは、ズームレンズは予め定められたズーム位置に段階的にのみ停止させることができるステップズームレンズとなっていることが多い。この場合、ズーム位置が有限の数であるので、撮影レンズの焦点距離を高精度で検出する検出機能が不要になる。また、レンズ鏡筒のカム形状の設定の仕方によって、ズーム動作とフォーカス動作とを同一の駆動手段で行うことも可能で、小型化、ローコスト化に貢献している。
【０００３】
一方、電子ズーム機能を有するデジタルカメラに関し、特許文献１では、光学ズームの倍率が離散的な場合であっても擬似ズームを組み合わせることで自由な倍率でズーム可能なカメラが開示されている。
しかしながら、自由な倍率が設定できるカメラにおいては、ズーム倍率を変更すると先の倍率と同じ倍率に戻すことが難しい等の課題もある。そのため、電子ズームを備える場合でも、ステップズームレンズのように、静止画撮影時は離散的な倍率でしか撮影を許可しないカメラもある。
例えばライブビュー中にワイド側からテレ側に電子ズームの開始操作が行われると、連続的に変倍が行われ、スムーズに倍率が変化していく。ここで電子ズームの停止操作が行われると、次に静止画撮影可能な倍率になるまで連続的に倍率を変化させ、静止画撮影可能な倍率になると倍率の変化を停止させるカメラが提供されている。
【先行技術文献】
【特許文献】
【０００４】
【特許文献１】特開平１１−２４２２８３号公報
【発明の概要】
【発明が解決しようとする課題】
【０００５】
しかしながら、上述のようなカメラでは、電子ズームの倍率の変化中に静止画撮影動作が行われると、静止画撮影可能な倍率になるまで撮影できない、或いは撮影者の意図しない画角で撮影されるという問題点があった。
【０００６】
本発明は上記のような点に鑑みてなされたものであり、静止画撮影可能な画角が離散的である撮像装置において、ライブビューの表示画角と静止画撮影可能な画角とが異なるタイミングで静止画撮影指示があったときに、ユーザの意図に沿った画角で撮影されるようにすることを目的とする。
【課題を解決するための手段】
【０００７】
本発明の撮像装置は、被写体像を画像信号に変換する撮像素子を備え、前記撮像素子から出力される画像を周期的に表示部に表示するライブビューを実行する撮像装置であって、静止画撮影するときの画角を決定する画角決定手段を備え、前記画角決定手段は、ライブビュー中に前記撮像素子から出力される画像を変倍して連続的に表示画角を変更している状態で、静止画撮影指示があったときのライブビューの表示画角と同じ画角で静止画の撮影ができない場合、広角側で該ライブビューの表示画角に最も近い静止画撮影可能な画角、或いは望遠側で該ライブビューの表示画角に最も近い静止画撮影可能な画角を選択することを特徴とする。
【発明の効果】
【０００８】
本発明によれば、静止画撮影可能な画角が離散的である撮像装置において、ライブビューの表示画角と静止画撮影可能な画角とが異なるタイミングで静止画撮影指示があったときに、ユーザの意図に沿った画角で撮影されるようにすることができる。
【図面の簡単な説明】
【０００９】
【図１】第１の実施形態に係る撮像装置の構成を示す図である。
【図２】デジタルカメラのライブビュー時の処理動作を示すフローチャートである。
【図３】第１の実施形態における静止画倍率決定処理を示すフローチャートである。
【図４】第２の実施形態における静止画倍率決定処理を示すフローチャートである。
【図５】第３の実施形態における静止画倍率決定処理を示すフローチャートである。
【図６】第４の実施形態における静止画倍率決定処理を示すフローチャートである。
【図７】第５の実施形態における静止画倍率決定処理を示すフローチャートである。
【図８】第６の実施形態における静止画倍率決定処理を示すフローチャートである。
【発明を実施するための形態】
【００１０】
以下、添付図面を参照して、本発明の好適な実施形態について説明する。
（第１の実施形態）
図１は、第１の実施形態に係る撮像装置の構成を示す図である。本実施形態では、撮像装置としてレンズ交換可能な一眼レフタイプのデジタルカメラを例に挙げて説明するが、本発明はレンズを内蔵したデジタルカメラにも適用可能である。
図１に示すように、本実施形態に係る撮像装置は、主にカメラ本体１００と、交換レンズタイプのレンズユニット３００とを備えて構成される。
【００１１】
レンズユニット３００において、３１０は複数のレンズからなる撮像レンズである。３１２は絞りである。３０６はレンズマウントであり、レンズユニット３００をカメラ本体１００と機械的に結合する。レンズマウント３０６内には、レンズユニット３００をカメラ本体１００と電気的に接続する各種機能が含まれている。レンズマウント３０６内において、３２０はレンズユニット３００をカメラ本体１００と接続するためのインターフェース、３２２はレンズユニット３００をカメラ本体１００と電気的に接続するコネクタである。コネクタ３２２は、カメラ本体１００とレンズユニット３００との間で制御信号、状態信号、データ信号等を伝え合うとともに、各種電圧の電流を供給される機能も備える。また、コネクタ３２２は、電気通信のみならず、光通信、音声通信等を用いて通信を行う構成としてもよい。
【００１２】
３４０は絞り制御部であり、カメラ本体１００の露出制御部４８からの絞り駆動指示に基づいて、シャッター１２を制御する露光制御部４０と連携しながら、絞り３１２を制御する。３４２はフォーカス制御部であり、撮像レンズ３１０のフォーカシングを制御する。３４４はズーム制御部であり、撮像レンズ３１０のズーミングを制御する。ズーム制御部３４４は、カメラ本体１００に具備された操作部７０の操作によって不図示のモータを駆動して光学ズームを行う。
【００１３】
３５０はレンズユニット３００全体を制御するレンズシステム制御回路である。５８はメモリであり、レンズシステム制御回路３５０の動作用の定数、変数、プログラム等を記憶する。更にメモリ５８は、レンズユニット３００固有の番号等の識別情報、管理情報、開放絞り値や最小絞り値、焦点距離等の機能情報、現在や過去の各設定値等の各種レンズ情報を保持する。
【００１４】
カメラ本体１００において、１０６はカメラ本体１００をレンズユニット３００と機械的に結合するレンズマウントである。１３０、１３２はミラーであり、撮像レンズ３１０を介して入射した光線を一眼レフ方式によって光学ファインダー１０４に導く。なお、ミラー１３０はクイックリターンミラーの構成としても、ハーフミラーの構成としても、どちらでも構わない。１２はフォーカルプレーン式のシャッターである。１４は被写体像を画像信号に変換する撮像素子であり、ＣＣＤ、ＣＭＯＳセンサー等からなる。撮像素子１４の前方には、光学ローパスフィルター等の光学素子１４ａが配置されている。撮像レンズ３１０、絞り３１２を介して入射した光線は、一眼レフ方式によってレンズマウント３０６及び１０６、ミラー１３０、シャッター１２を介して導かれ、光学像として撮像素子１４上に結像される。
【００１５】
１５はマイクロフォンである。１６はＡ／Ｄ変換器であり、撮像素子１４から出力されるアナログ信号（出力信号）をデジタル信号に変換し、また、マイクロフォン１５から出力されるアナログ信号（出力信号）をデジタル信号に変換する。１８はタイミング発生回路であり、撮像素子１４、Ａ／Ｄ変換器１６、Ｄ／Ａ変換器２６にそれぞれクロック信号や制御信号を供給する。タイミング発生回路１８は、メモリ制御回路２２及びシステム制御回路５０により制御される。
【００１６】
１１２は補正係数算出部であり、撮像素子１４の特性によってシェーディング補正のためのパラメータを計算する。更に補正係数算出部１１２は、周辺光量補正、周辺歪曲補正、周辺色収差補正等の補正パラメータも算出する。例えば周辺光量補正を例に挙げて説明すると、レンズユニット３００に内蔵されるメモリ５８からレンズ情報を取得する。レンズ情報には、光学中心からのずれとそれに対する減光率の対応表や、最小絞り値、開放口径、焦点距離、現在の絞り値等が含まれる。ここで計算された補正パラメータはシステム制御回路５０が画像処理回路２０へと設定する。
【００１７】
２０は画像処理回路であり、Ａ／Ｄ変換器１６からのデータ或いはメモリ制御回路２２からのデータに対して所定の画素補間処理や色変換処理を行う。このとき、補正係数算出部１１２によって計算された補正パラメータによって各種の補正を行う。また、画像処理回路２０は、必要に応じて、Ａ／Ｄ変換器１６から出力される画像データを用いて所定の演算処理を行う。得られた演算結果に基づいてシステム制御回路５０が露光制御部４０、測距制御部４２を制御するための、コントラスト方式のオートフォーカス（ＡＦ）処理、自動露出（ＡＥ）処理、フラッシュプリ発光（ＥＦ）処理を行う。更に画像処理回路２０は、Ａ／Ｄ変換器１６から出力される画像データを用いて所定の演算処理を行い、得られた演算結果に基づいてＴＴＬ方式のオートホワイトバランス（ＡＷＢ）処理も行う。
２１は音声処理回路であり、Ａ／Ｄ変換器１６からのデータ或いはメモリ制御回路２２からのデータに対して、必要に応じて風の音や絞り３１２のノイズ音を軽減するノイズキャンセル処理等、所定の音声処理を行う。また、音声処理回路２１は、得られた演算結果に基づいてゲインを自動でコントロールするＡＧＣも行う。
【００１８】
２２はメモリ制御回路であり、Ａ／Ｄ変換器１６、タイミング発生回路１８、画像処理回路２０、音声処理回路２１、画像表示メモリ２４、Ｄ／Ａ変換器２６、メモリ３０、圧縮・伸長回路３２を制御する。Ａ／Ｄ変換器１６から出力される画像データは、画像処理回路２０、音声処理回路２１、メモリ制御回路２２を介して、或いはメモリ制御回路２２のみを介して、画像表示メモリ２４と音声再生メモリ２５或いはメモリ３０に書き込まれる。
２４は画像表示メモリである。２６はＤ／Ａ変換器である。２８はＴＦＴ方式のＬＣＤ等からなる画像表示部である。画像表示メモリ２４に書き込まれた表示用の画像データは、Ｄ／Ａ変換器２６を介して画像表示部２８により表示される。画像表示部２８を用いて、撮像した画像データを逐次表示することで、電子ビューファインダー（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。また、不図示の通信インターフェースを設けても良い。例えば高解像度のテレビ等と接続して通信することができるＨＤＭＩ（High-Definition Multimedia Interface、登録商標）インターフェース等が挙げられる。これを用いてカメラ内の画像データを通信することで、画像表示部２８のみならず、外部のテレビに表示することが可能である。また、画像データのほかにＣＥＣ（Consumer Electronics Control）によりテレビとの間でコマンドの送受信をすることも可能である。ＣＥＣによる送受信されるコマンドとしては、テレビの電源状態、再生開始、再生終了、リモコン十字キー操作等がある。
２５は音声再生メモリである。２９はスピーカー等からなる音声再生部である。音声再生メモリ２５に書き込まれた再生用の音声データは、Ｄ／Ａ変換器２６を介して音声再生部２９により出力される。
【００１９】
３０は撮影した静止画像或いは動画像のデータを格納するためのメモリであり、所定枚数の静止画像或いは所定量の動画像を格納するのに十分な記憶容量を備える。これにより、複数枚の静止画像を連続して撮影する連写撮影やパノラマ撮影の場合にも、高速かつ大量の画像書き込みをメモリ３０に対して行うことが可能となる。また、メモリ３０は、動画撮影時には、所定レートで連続的に書き込まれる画像のフレームバッファとして使用される。更にメモリ３０は、システム制御回路５０の作業領域としても使用することが可能である。
３２は圧縮・伸長回路であり、公知の圧縮方法を用いて画像データを圧縮・伸長する。圧縮・伸長回路３２は、メモリ３０に格納された画像を読み込んで圧縮処理或いは伸長処理を行い、処理を終えたデータを再びメモリ３０に書き込む。また、動画像データを所定のフォーマットに圧縮符号化したり、所定の圧縮符号化データから動画像信号を伸長したりする機能も有する。
【００２０】
４０は露光制御部であり、露出制御部４８からの蓄積時間指示に基づいて絞り３１２を制御する絞り制御部３４０と連携しながらシャッター１２を制御する。
４２はＡＦ処理を行うための測距制御部である。レンズユニット３００内の撮像レンズ３１０に入射した光線を絞り３１２、レンズマウント３０６、１０６、ミラー１３０及び焦点調節用サブミラー（不図示）を介して一眼レフ方式で入射させることにより、光学像として結像された画像の合焦状態を測定する。
４６はＡＥ処理を行うための測光制御部である。レンズユニット３００内の撮像レンズ３１０に入射した光線を、絞り３１２、レンズマウント３０６、１０６、ミラー１３０及び測光用サブミラー（図示せず）を介して一眼レフ方式で入射させることにより、光学像として結像された画像の測光状態を測定する。撮像素子１４に結像した画像を連続的に電気信号に変換し表示するライブビューでは、得られた画像のヒストグラム等から測光状態を測定する。このとき、画面中心或いはフォーカスエリア等に重み付けをして測光状態を測定する。
４８は露出制御部であり、測光制御部４６の測光状態から、最適なＩＳＯ感度、絞り値、シャッター速度を決定する。そして、決定した最適なＩＳＯ感度、絞り値、シャッター速度に基づいて露光制御部４０にシャッター速度を指示し、インターフェース１２０を通してレンズユニット３００の絞り制御部３４０に絞り値を指示する。また、撮像素子１４と画像処理回路２０にＩＳＯ感度を指示し、最適な露出となるように制御する。ライブビューではシャッター１２は常に開いておき、露出制御部４８は蓄積時間を撮像素子１４に指示して電子シャッターで蓄積時間をコントロールする。また、測距制御部４２による測定結果と、Ａ／Ｄ変換器１６からの画像データを画像処理回路２０によって演算した演算結果とを用いて、ＡＦ制御を行うようにしてもよい。更に、測光制御部４６による測定結果と、Ａ／Ｄ変換器１６からの画像データを画像処理回路２０によって演算した演算結果とを用いて露出制御を行うようにしてもよい。
【００２１】
５０はカメラ本体１００全体を制御するシステム制御回路であり、ＣＰＵ等を内蔵する。５２はシステム制御回路５０の動作用の定数、変数、プログラム等を記憶するメモリである。
【００２２】
５４は通知部であり、システム制御回路５０でのプログラムの実行に応じて、文字、画像、音声等を用いて動作状態やメッセージ等を外部に通知する。通知部５４としては、例えばＬＣＤやＬＥＤ等による視覚的な表示を行う表示部や音声による通知を行う発音素子等が用いられるが、通知部５４はこれらのうち１つ以上の組み合わせにより構成される。特に、表示部の場合には、操作部７０近辺の、視認しやすい、単数或いは複数箇所に設置される。また、通知部５４は、その一部の機能が光学ファインダー１０４内に設置されている。
通知部５４の表示内容のうち、画像表示部２８に表示するものとしては以下のものがある。まず、単写／連写撮影表示、セルフタイマー表示等、撮影モードに関する表示がある。また、圧縮率表示、記録画素数表示、記録枚数表示、残撮影可能枚数表示等の記録に関する表示がある。また、シャッター速度表示、絞り値表示、露出補正表示、調光補正表示、外部フラッシュ発光量表示、赤目緩和表示等の撮影条件に関する表示がある。その他に、マクロ撮影表示、ブザー設定表示、電池残量表示、エラー表示、複数桁の数字による情報表示、記録媒体２００の着脱状態表示がある。更に、レンズユニット３００の着脱状態表示、通信インターフェース動作表示、日付・時刻表示、外部コンピュータとの接続状態を示す表示等も行われる。また、通知部５４の表示内容のうち、光学ファインダー１０４内に表示するものとしては、以下のものがある。合焦表示、撮影準備完了表示、手振れ警告表示、フラッシュ充電表示、フラッシュ充電完了表示、シャッター速度表示、絞り値表示、露出補正表示、記録媒体書き込み動作表示等である。
【００２３】
５６は電気的に消去・記録可能な不揮発性メモリであり、例えばＥＥＰＲＯＭ等が用いられ、後述するプログラム等や現在の設定値等を保持する。
６６は電子ズーム制御部である。
【００２４】
６０、６２、６４、６５、７０は、システム制御回路５０の各種の動作指示を入力するための操作手段であり、スイッチやダイアル、タッチパネル、視線検知によるポインティング、音声認識装置等の単数或いは複数の組み合わせで構成される。
６０はモードダイヤルスイッチであり、自動撮影モード、プログラム撮影モード、シャッター速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モード、動画記録モード等の各機能撮影モードを切り替え設定することもできる。
６２はシャッタースイッチＳＷ１であり、不図示のシャッターボタンの操作途中（例えば半押し）でＯＮとなり、ＡＦ処理、ＡＥ処理、ＡＷＢ処理等の動作開始を指示する。
６４はシャッタースイッチＳＷ２であり、不図示のシャッターボタンの操作完了（例えば全押し）でＯＮとなり、露光処理、現像処理、及び記録処理からなる一連の処理の動作開始を指示する。まず、露光処理では、ミラー１３０とシャッター１２を駆動して撮像素子１４に被写体の像を結像させる。続いて、現像処理では、撮像素子１４から読み出した信号をＡ／Ｄ変換器１６、メモリ制御回路２２を介してメモリ３０に書き込み、更に画像処理回路２０やメモリ制御回路２２での演算を用いた現像処理を行う。そして、記録処理では、メモリ３０から画像データを読み出し、圧縮・伸長回路３２で圧縮を行い、記録媒体２００に書き込むか、或いはインターフェース９０を介して接続されたコンピュータ等に送信する。
モードダイヤルスイッチ６０を動画撮影モードに切り替えた場合、上述した露光処理、現像処理を行い、メモリ３０に格納された画像をＤ／Ａ変換器２６でアナログ信号に変換して画像表示部２８に表示する。この動作を例えば１秒間に約３０回繰り返すことでいわゆるライブビュー機能を行う。
６５は動画記録スイッチであり、動画記録スイッチ６５が押されると、上述した画像処理に加え、マイクロフォン１５から読み出した音声信号をＡ／Ｄ変換器１６、メモリ制御回路２２を介してメモリ３０に書き込む。先の画像データと音声データをメモリ３０から読み出し、圧縮・伸長回路３２で圧縮を行い、記録媒体２００に書き込むか、或いはインターフェース９０を介して外部に接続されたコンピュータ等に送信する。
７０は各種ボタンやタッチパネル等からなる操作部である。一例として、メニューボタン、セットボタン（決定ボタン）、マルチ画面再生改ページボタン、フラッシュ設定ボタン、単写／連写／セルフタイマー切り替えボタン、メニュー移動＋（プラス）ボタン、メニュー移動−（マイナス）ボタンを含む。更に再生画像移動＋（プラス）ボタン、再生画像移動−（マイナス）ボタン、撮影画質選択ボタン、露出補正ボタン、調光補正ボタン、外部フラッシュ発光量設定ボタン、日付／時間設定ボタン、ズーム操作ボタン等も含む。なお、上記プラスボタン及びマイナスボタンの各機能は、回転ダイアルスイッチを備えることによって、より軽快に数値や機能を選択することが可能となる。また、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチがある。また、ＪＰＥＧ（Joint Photographic Experts Group）圧縮の圧縮率を選択するため、或いは撮像素子１４の信号をそのままデジタル化して記録媒体に記録するＲＡＷモードを選択するためのスイッチである圧縮モードスイッチがある。また、ワンショットＡＦモードとサーボＡＦモードとを設定可能なＡＦモード設定スイッチ等がある。ワンショットＡＦモードでは、シャッタースイッチＳＷ１（６２）を押した際にオートフォーカス動作を開始し、一旦合焦した場合、その合焦状態を保ち続ける。サーボＡＦモードでは、シャッタースイッチＳＷ１（６２）を押している間、連続してオートフォーカス動作を続ける。
【００２５】
８０は電源制御部であり、電池検出回路、電圧検出回路、ＤＣ−ＤＣコンバータ、通電するブロックを切り替えるスイッチ回路等により構成される。電源制御部８０は、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２、８４はコネクタである。８６は電源部であり、アルカリ電池やリチウム電池等の一次電池、ＮｉＣｄ電池やＮｉＭＨ電池、Ｌｉ‐ｉｏｎ電池、Ｌｉポリマー電池等の二次電池、ＡＣアダプター等からなる。
【００２６】
９０はメモリカードやハードディスク等の記録媒体やＰＣとのインターフェースである。９２はメモリカードやハードディスク等の記録媒体やＰＣと接続を行うコネクタである。９８は記録媒体着脱検知回路であり、コネクタ９２に記録媒体２００が装着されているか否かを検知するインターフェース及びコネクタとしては、種々の記憶媒体の規格に準拠したものを用いて構成することが可能である。例えばＰＣＭＣＩＡ（Personal Computer Memory Card International Association）カードやＣＦ（コンパクトフラッシュ（登録商標））カード、ＳＤカード等である。インターフェース９０、そしてコネクタ９２をＰＣＭＣＩＡカードやＣＦカード等の規格に準拠したものを用いて構成した場合、各種通信カードを接続することができる。通信カードとしては、ＬＡＮカードやモデムカード、ＵＳＢ（Universal Serial Bus）カード、ＩＥＥＥ（Institute of Electrical and Electronic Engineers）１３９４カードがある。他にも、Ｐ１２８４カード、ＳＣＳＩ（Small Computer System Interface）カード、ＰＨＳ（Personal Handy-phone System）等がある。これら各種通信カードを接続することにより、他のコンピュータやプリンタ等の周辺機器との間で画像データや画像データに付属した管理情報を転送し合うことができる。
【００２７】
１０４は光学ファインダーであり、撮像レンズ３１０に入射した光線を、一眼レフ方式によって、絞り３１２、レンズマウント３０６、１０６、ミラー１３０、１３２を介して導き、光学像として結像させて表示することができる。これにより、画像表示部２８による電子ファインダー機能を使用すること無しに、光学ファインダー１０４のみを用いて撮影を行うことが可能である。また、光学ファインダー１０４内には、通知部５４の一部の機能、例えば合焦状態、手振れ警告、フラッシュ充電、シャッター速度、絞り値、露出補正等が表示される。
【００２８】
１２０はカメラ本体１００をレンズユニット３００と接続するためのインターフェースである。１２２はカメラ本体１００をレンズユニット３００と電気的に接続するコネクタである。レンズマウント１０６及びコネクタ１２２にレンズユニット３００が装着されているか否かは、不図示のレンズ着脱検知部により検知される。コネクタ１２２は、カメラ本体１００とレンズユニット３００との間で制御信号、状態信号、データ信号等を伝え合うとともに、各種電圧の電流を供給される機能も備える。また、コネクタ１２２は、電気通信のみならず、光通信、音声通信等を用いて通信を行う構成としてもよい。
【００２９】
２００はメモリカードやハードディスク等の記録媒体である。記録媒体２００は、半導体メモリや磁気ディスク等から構成される記録部２０２、カメラ本体１００とのインターフェース２０４、カメラ本体１００と接続を行うコネクタ２０６を備える。記録媒体２００としては、ＰＣＭＣＩＡカードやコンパクトフラッシュ（登録商標）等のメモリカード、ハードディスク等を用いることができる。また、マイクロＤＡＴ、光磁気ディスク、ＣＤ−ＲやＣＤ−ＲＷ等の光ディスク、ＤＶＤ等の相変化型光ディスク等で構成されていても勿論構わない。
【００３０】
以上のようにしたデジタルカメラでは、被写体像を画像信号に変換する撮像素子１４を含み、撮像素子１４で得られた電気信号をＡ／Ｄ変換器１６で変換する。得られた画像データはいったんメモリに置かれ、ＶＲＡＭ（Video Random Access Memory）のサイズに合わせて変倍して画像表示部２８に表示する。これを１秒間に約２４回、約３０回乃至は約６０回周期的に行うことでいわゆるライブビューを実現する。このとき、撮像素子１４のすべての画素から画像信号を読み出すには時間がかかり、例えば１秒間に約６０回、すなわち約１６．７ミリ秒以内に読み出すことは困難である。このため、数ライン、例えば３ラインごとに１ライン読み出し、その間の２ラインは間引くことで読み出す速度を速めることができる。
【００３１】
撮像素子１４の有効画素全域から読み出した画像の倍率を１倍、画角を１００％とする。ライブビュー中にユーザが電子ズームを開始させると、１フレームごとに前のフレームの変倍率ｒ倍していく。このとき、画角は前のフレームに比べて式（１）で表わされる画角となる。なお、ｒは１より大きい任意の数である。
１００÷ｒ^２［％］・・・（１）
例えばｒ＝１．０１の場合、約９８［％］となり、ライブビュー中に広角側（低倍率側）から望遠側（高倍率側）のズーミング操作を行うと、前のフレームに対して約９８［％］の画角が次のフレームで表示されることになる。
また、１倍からｎ倍までに達するステップ数は、式（２）で表わされる。
Ｌｏｇrｎ［ステップ］・・・（２）
すなわちｒ＝１．０１で１倍から３倍までは１１０ステップになり、ライブビューのフレームレートが３０ｆｐｓであれば、電子ズーム開始から約３．７秒かかることになる。
ライブビューでは、ｒを小さい値にすることで、実質的に連続的に倍率が変化してスムーズな表示を実現するが、ある倍率からある倍率に変化する時間は長くなる。
【００３２】
一方、実際に静止画を撮影したい場合、連続的に撮影可能なように設計すると、ある一定の倍率で複数回にわたって撮影したいときに、毎回同じ倍率にするのは操作が困難となる。例えばユーザが常に２倍の倍率で撮影したいと望んでも、１．９９倍や２．０１倍になってしまうことがある。
そこで、静止画撮影可能な倍率を連続的ではなく離散的に設定する。例えば静止画撮影可能な変倍率はｒ＝１．０１０５とする。式（２）より約１１ステップとなるので、ライブビューは１１０フレームで約３倍となるが、静止画は１〜３倍の間で１２種類の画角で静止画撮影が可能となる。
【００３３】
この場合、ライブビューで表示されている画角で常に静止画撮影が可能なわけではない。静止画撮影ができない画角でライブビュー表示されているときにユーザが電子ズームの停止操作を行ったときは、静止画撮影可能な画角までズーミングを行い、その画角でズーミングを停止する。
また、静止画撮影ができない画角でライブビュー表示されているときにユーザが静止画撮影指示を行ったときは、従来例のように静止画撮影可能な画角までズーミングを行ってから撮影を行うと、ユーザの撮影操作から実際に撮影されるまでのタイムラグが大きくなる。
表１を例にすると、ライブビューは１フレームごとに1.0000倍、1.0100倍、1.0201倍・・・と実質的に連続で電子ズームが行われるが、静止画撮影可能なのは1.0000倍、1.1046倍・・・と離散的である。このため、ライブビューの表示が1.0201倍のときに静止画撮影を行った場合、同じ画角で撮影することができない。
そこで、以下に述べるように、ライブビューで表示されている画角とは異なる画角で静止画撮影を行う。
【００３４】
【表１】
2014206592.tif 000003
【００３５】
以下、図２、図３を参照して、第１の実施形態におけるデジタルカメラのライブビュー時の処理動作を説明する。図２、図３の各処理は、例えばシステム制御回路５０がプログラムを実行し、各部を制御することにより実現される。
モードダイヤルスイッチ６０を変更して動画モードにする、或いは操作部７０の操作によってライブビューの開始が指示されると、システム制御回路５０は、シャッター１２、ミラー１３０を駆動し、撮像素子１４に被写体の像が結像するようにする（ステップＳ１０１）。例えば撮像素子１４、Ａ／Ｄ変換器１６等がパワーセーブモードになっている場合は電源を供給し、初期設定等を行う（ステップＳ１０２）。
【００３６】
次に、システム制御回路５０は、操作部７０によって電子ズーム操作が行われているか否かを判定する（ステップＳ１０３）。
電子ズーム中であれば、ライブビューのフレームレート等も考慮し、電子ズーム制御部６６で倍率及び切り出し量を決定する（ステップＳ１０４）。
広角側から望遠側にズームしていく場合は、式（５）のように、１フレームあたりＺ［倍］に拡大、フレームレートがｎ［ｆｐｓ］の場合、ｔ［秒］後は、Ｚt［倍］になる。
Ｚt＝Ｚnt・・・（５）
すなわち、１フレームあたりの倍率Ｚが1.0100倍であってフレームレートが３０ｆｐｓのとき、約３．７秒で３倍に到達する。フレームごとに倍率を表わすと先に説明した表１のようになる。
逆に、望遠側から広角側にズームアウトする場合は、式（６）のようになる。
Ｚt＝Ｚ1/nt・・・（６）
【００３７】
また、ステップＳ１０４で計算した倍率から静止画撮影可能な倍率であるか否かを判定する（ステップＳ１０５）。すなわち、ライブビューは上述したように１フレームごとに1.0100倍に拡大（或いは縮小）していく。それに対して、静止画は例えば表１で説明した通り離散的な倍率でしか撮影できないように制限している。表１の例では、例えばライブビューの拡大率が1.0510倍である場合、静止画撮影を許可しない倍率であるので、Ｎｏと判定し、ステップＳ１０７に移行する。一方、ライブビューの拡大率が1.1046倍である場合、静止画撮影を許可する倍率であるので、Ｙｅｓと判定し、ステップＳ１０６に移行する。
【００３８】
ステップＳ１０５で静止画撮影を許可する倍率であると判断された場合、その倍率を一時的にメモリ５２に保持しておく（ステップＳ１０６）。なお、倍率を保持するのではなく、ズームステップ数を保持してもよい。ズームステップ数とは、例えば広角端を０として、ズームが何ステップ望遠側に進んだかを表わすステップ数であり、ライブビューのズームステップ数は表１の例では1.1046倍であれば５である。また、静止画のズームステップ数は１である。また、倍率ではなく、静止画撮影可能な画角としてピクセル単位等で保持してもよい。
【００３９】
次に、システム制御回路５０は、ステップＳ１０４で決定した倍率に応じて、撮像素子１４に結像された画像のどの部分を表示させるかを決定する（ステップＳ１０７）。倍率が１倍の場合、撮像素子１４の有効画素に結像した画像全面を使用するが、倍率が２倍の場合、式（２）に従って撮像素子１４に結像された画像のうち２５％分を使用する。すなわち、上下左右１／４ずつ切取り、中心の１／２を使用する。実際に現像に使用する領域が小さいため、撮像素子１４からの読み出し時間の短縮、メモリ３０の使用量が少なくて済み、連写速度や連写可能枚数の向上につながる。また、通常は撮像素子１４の中心の２５％を使用するが、中心でなく端の方を使用してもよいし、画像処理回路２０に含まれる顔等の被写体検知部によって検出された被写体を追尾するように使用する領域を動的に切り替えることも可能である。
【００４０】
次に、システム制御回路５０は、露出を決定するため、露出制御部４８で得られた画像信号から適正な露光量を計算する（ステップＳ１０８）。そして、露光制御部４０を介して撮像素子１４に対して蓄積時間とセンサーの感度、ステップＳ１０７で決定した切り出し量に応じて撮像素子１４の使用するエリア等を設定する（ステップＳ１０９）。また、ステップＳ１０９では、画像処理回路２０に対してデジタルゲインを設定する。このとき、倍率が高い、すなわち電子ズームが望遠側の場合は中央を重点的に測光する等、倍率に応じて露出の制御を行うことも好ましい様態の一つである。
【００４１】
システム制御回路５０は、撮像素子１４の露光を開始し、撮像素子１４から読み出した信号をＡ／Ｄ変換器１６でデジタル信号に変換する（ステップＳ１１０）。得られた画像は色味を調整するホワイトバランスを考慮し、レンズに起因して周辺部が暗くなる周辺光量等を画像処理回路２０で補整しながら例えばＹＵＶフォーマットに変換する現像処理を行う（ステップＳ１１１）。そして、ステップＳ１０７で決定した切り出し量に従って画像処理回路２０で中心部或いは被写体部を切り出すいわゆるトリミング処理を行い、画像表示部２８の解像度に応じてデジタル変倍する（ステップＳ１１２）。この変倍率は、例えば上述したように不図示のＨＤＭＩ（登録商標）を経由して外部モニタに出力する場合、一般的にカメラに内蔵した画像表示部２８よりも解像度が高いため、変倍率が異なることもある。このようにして生成した画像を画像表示部２８に表示する（ステップＳ１１３）。
【００４２】
次に、システム制御回路５０は、ユーザがシャッタースイッチ６４を操作しているか否かを判定する（ステップＳ１１４）。静止画撮影指示があればステップＳ１２０に移行し、静止画撮影指示がなければステップＳ１１５に移行する。
ステップＳ１１４で静止画撮影指示がなければ、ユーザからライブビュー終了指示があるか否かを判定する（ステップＳ１１５）。ライブビュー終了指示がなければ、ステップＳ１０３に戻ってライブビュー動作を継続する。一方、ライブビュー終了指示があれば、ステップＳ１１６に移行して、撮像素子１４、Ａ／Ｄ変換器１６等をパワーセーブモードにする。そして、ミラー１３０を下げ、シャッター１２を閉じて被写体の像が結合しないようにする（ステップＳ１１７）。
【００４３】
一方、ステップＳ１１４で静止画撮影指示があれば、システム制御回路５０は、現在のライブビューの倍率、ステップＳ１０６で保持した静止画撮影可能な倍率等から静止画撮影時の倍率を決定する（ステップＳ１２０）。ステップＳ１２０の静止画倍率決定処理の詳細は後述する。その後のセンサー設定（ステップＳ１２１）、キャプチャー（ステップＳ１２２）、現像（ステップＳ１２３）は、静止画撮影用の設定をする等異なるパラメータを使用する点以外は、それぞれステップＳ１０９、ステップＳ１１０、ステップＳ１１１と同様であり、その説明を省略する。
【００４４】
次に、システム制御回路５０は、ステップＳ１２０で決定した静止画撮影時の倍率に従って画像処理回路２０で中心部或いは被写体部を切り出すいわゆるトリミング処理を行い、必要に応じて変倍処理を行う（ステップＳ１２４）。変倍処理は、トリミングした画像をトリミングする前のサイズ或いは所定の画素数に変倍する。或いはトリミングした画像サイズで保存する場合は変倍処理を行わなくてもよい。
このようにトリミング・変倍された画像をＪＰＥＧ等の汎用フォーマットへと圧縮し（ステップＳ１２５）、記録媒体２００に保存する（ステップＳ１２６）。
【００４５】
次に、システム制御回路５０は、ステップＳ１２４でトリミング・変倍した画像を画像表示部２８或いは不図示の外部モニタの解像度に合わせて画像処理回路２０で変倍し、表示する（ステップＳ１２７）。なお、このクイックレビューの表示は図２のフローチャートではシーケンシャルに記載しているが、ステップＳ１２６の保存の処理と並行して行うことが好ましい。
【００４６】
ここで、第１の実施形態における静止画倍率決定処理（ステップＳ１２０）について詳細に説明する。図３は、第１の実施形態における静止画倍率決定処理を示すフローチャートである。
広角側からズームをしていく場合、表１の例では、1.0000倍、1.0100倍、1.0201倍、・・・、1.0937倍とライブビューの倍率は進んでいくが、このとき、ステップＳ１０６で保持される静止画撮影可能な倍率は1.0000倍のままである。更にズーム動作が続き、ライブビューの倍率が1.1046倍になったとき、ステップＳ１０６で保持される静止画撮影可能な倍率は1.1046倍になる。更にズーム動作が続くと、ライブビューの倍率は1.1157倍、1.1268倍と高くなっていくが、1.2202倍になるまではステップＳ１０６で保持される静止画撮影可能な倍率は1.1046倍のままである。
例えばライブビューの倍率が1.1157倍、・・・、1.2081倍と高くなる間に静止画撮影動作が行われると、ステップＳ１０６で保持された静止画撮影可能な倍率である1.1046倍を選択する（ステップＳ３０１）。
【００４７】
逆に望遠側からズームアウトしていく場合、同様に、ライブビューの倍率が1.2202倍、1.2081倍、1.1961、・・・1.1157倍と低くなってくる間は、ステップＳ１０６で保持される静止画撮影可能な倍率は1.2202倍のままである。更にズームアウト動作が続き、ライブビューの倍率が1.1046倍になったとき、ステップＳ１０６で保持される静止画撮影可能な倍率は1.1046倍になる。更にズームアウト動作が続くと、ライブビューの倍率は1.0937倍、1.0829倍・・・と低くなっていくが、1.0000倍になるまではステップＳ１０６で保持される静止画撮影可能な倍率は1.1046倍のままである。
例えばライブビューの倍率が1.0937倍、・・・、1.0100倍と低くなる間に静止画撮影動作が行われると、ステップＳ１０６で保持された静止画撮影可能な倍率である1.1046倍を選択する（ステップＳ３０１）。
以上の処理により、静止画撮影動作が行われたときの直前の静止画撮影可能な倍率で静止画撮影が可能となる。
【００４８】
（第２の実施形態）
第２の実施形態では、静止画倍率決定処理（ステップＳ１２０）が第１の実施形態と異なる。なお、図１のデジタルカメラの構成や図２のライブビュー時における基本的な処理動作は第１の実施形態と同様であり、ここではその説明を省略する。
【００４９】
図４は、第２の実施形態における静止画倍率決定処理を示すフローチャートである。
例えばライブビューの倍率が1.1157倍、・・・、1.2081倍と高くなる間に静止画撮影動作が行われたとする。まずライブビューの倍率が静止画撮影可能な倍率であるか否かを判定する（ステップＳ４０１）。ステップＳ４０１で静止画撮影可能な倍率でない場合、ステップＳ４０３に移行し、次に静止画撮影可能な倍率を選択する。本例の場合、ステップＳ１０６で保持された静止画撮影可能な倍率である1.1046倍の次の1.2202倍が選択される。すなわち、ライブビューの倍率よりも高倍率が選択されることになる。なお、ステップＳ４０１で静止画撮影可能な倍率である場合、ステップＳ１０６で保持された静止画撮影可能な倍率を選択する（ステップＳ４０２）。
逆に望遠側からズームアウトする場合、ステップＳ４０３では、ライブビューの倍率よりも低倍率が選択されることになる。
以上の処理により、ユーザの撮影指示から遅延なくユーザが意図した画角で撮影可能となる。
【００５０】
（第３の実施形態）
第３の実施形態では、静止画倍率決定処理（ステップＳ１２０）が第１の実施形態と異なる。なお、図１のデジタルカメラの構成や図２のライブビュー時における基本的な処理動作は第１の実施形態と同様であり、ここではその説明を省略する。
第１の実施形態、第２の実施形態では、ライブビューで表示されている画角と実際に静止画撮影で記録される画角との差が大きくなってしまうことがある。特に静止画撮影可能倍率がより離散的な場合、画角の差は顕著となる。
そこで、第３の実施形態では、ライブビューの表示に近い静止画撮影可能な画角で撮影する。例えばライブビューの倍率が1.0201倍のとき、静止画撮影可能な倍率1.0000倍、1.1046倍を比較すると1.0000倍の方に近いので、1.0000倍を選択して撮影する。この「ライブビューの表示に近い静止画撮影可能な画角」は、式（３）で表わされる倍率の差を比較してもよいし、式（４）で表わされるように対数を比較してもよい。
｜1.1046−1.0201｜＞｜1.000−1.0201｜・・・（３）
｜log1.01(1.1046÷1.0201)｜＞｜log1.01(1.000÷1.0201)｜・・・（４）
【００５１】
図５は、第３の実施形態における静止画倍率決定処理を示すフローチャートである。
例えばライブビューの倍率が1.1268倍のときに静止画撮影動作が行われたとする。まずライブビューの倍率が静止画撮影可能な倍率であるか否かを判定する（ステップＳ５０１）。ステップＳ５０１で静止画撮影可能な倍率ではない場合、ステップＳ５０３に移行し、ライブビューで表示されている倍率と、ステップＳ１０６で保持された静止画撮影可能な倍率と、次に静止画撮影可能な倍率とを比較して、ライブビューの表示に近い静止画撮影可能な倍率を選択する。本例の場合、ライブビューの倍率1.1268倍と、ステップＳ１０６で保持された静止画撮影可能な倍率1.1046倍と、次に静止画撮影可能な倍率1.2202倍とを比較すると、1.2202倍の方がライブビューの倍率1.1268倍に近いので、この1.2202倍が選択される。なお、ステップＳ５０１で静止画撮影可能な倍率である場合、ステップＳ１０６で保持された静止画撮影可能な倍率を選択する（ステップＳ５０２）。
以上の処理により、ライブビューで表示されている画角と実際に静止画撮影で記録される画角との差が大きくなることを防止することができる。
【００５２】
（第４の実施形態）
第４の実施形態では、静止画倍率決定処理（ステップＳ１２０）が第１の実施形態と異なる。なお、図１のデジタルカメラの構成や図２のライブビュー時における基本的な処理動作は第１の実施形態と同様であり、ここではその説明を省略する。
ライブビューの画角が静止画撮影可能な画角になる前にユーザが静止画撮影動作を行うということは、とっさに撮影したいという状況である可能性が高い。このような場合、ライブビューで表示している画角よりも広角側で撮影することが好ましいことがある。これは不要な部分が写りこんでも、画像編集で好ましい画角を切り出すことができるからである。逆に望遠側で静止画撮影を行うと、大きな被写体或いは端の方にある被写体が写らないことがあるからである。
【００５３】
図６に、第４の実施形態における静止画倍率決定処理を示すフローチャートである。
例えばライブビューの倍率が1.1157倍、・・・、1.2081倍と高くなる間に静止画撮影動作が行われたとする。まずライブビューの倍率が静止画撮影可能な倍率であるか否かを判定する（ステップＳ６０１）。ステップＳ６０１で静止画撮影可能な倍率である場合、ステップＳ１０６で保持された静止画撮影可能な倍率を選択する（ステップＳ６０２）。
ステップＳ６０１で静止画撮影可能な倍率でない場合、ステップＳ６０３に移行し、ズーミング動作が広角側から望遠側に向かっているか否かを判定する。ズーミング動作が広角側から望遠側に向かっている場合、ステップＳ６０２に移行し、ステップＳ１０６で保持された静止画撮影可能な倍率を選択する。本例の場合、ズーミング動作が広角側から望遠側に向かっているので、ステップＳ６０２に移行し、ステップＳ１０６で保持された静止画撮影可能な倍率である1.1046倍を選択する。一方、ズーミング動作が望遠側から広角側に向かっている場合、ステップＳ６０４に移行し、次に静止画撮影可能な倍率、すなわちステップＳ１０６で保持された静止画撮影可能な倍率よりも１段階広角側の倍率を選択する。
つまり、ライブビューの倍率が例えば1.1268倍で静止画撮影動作が行われた場合、広角側から望遠側にズームしている最中でも、望遠側から広角側にズームしている最中でも、静止画撮影の倍率は1.1046倍となる。
【００５４】
（第５の実施形態）
第５の実施形態では、静止画倍率決定処理（ステップＳ１２０）が第１の実施形態と異なる。なお、図１のデジタルカメラの構成や図２のライブビュー時における基本的な処理動作は第１の実施形態と同様であり、ここではその説明を省略する。
ライブビューの画角が静止画撮影可能な画角になる前にユーザが静止画撮影動作を行うということは、とっさに撮影したいという状況である可能性が高い。第４の実施形態では、ライブビューで表示している画角よりも広角側で撮影する例を示した。しかしながら、ユーザがとっさに撮影するということは、被写体が急に画角内に入ってきたという可能性があり、高速で連続撮影を行いたいという要望もある。このような場合、ライブビューで表示している画角よりも望遠側で撮影することが好ましいことがある。画角を小さくし、撮像素子１４からの読み出し時間を短くする、メモリ３０の使用量を少なくする、画像処理回路２０で現像や圧縮等の画像処理にかかる時間を短くする等を行って連写速度や連写可能枚数を上げることが好ましいからである。
【００５５】
図７に、第５の実施形態における静止画倍率決定処理を示すフローチャートである。
例えばライブビューの倍率が1.1157倍、・・・、1.2081倍と高くなる間に静止画撮影動作が行われたとする。まずライブビューの倍率が静止画撮影可能な倍率であるか否かを判定する（ステップＳ７０１）。ステップＳ７０１で静止画撮影可能な倍率である場合、ステップＳ１０６で保持された静止画撮影可能な倍率を選択する（ステップＳ７０２）。
ステップＳ７０１で静止画撮影可能な倍率でない場合、ステップＳ７０３に移行し、ズーミング動作が広角側から望遠側に向かっているか否かを判定する。ズーミング動作が広角側から望遠側に向かっている場合、ステップＳ７０４に移行し、次に静止画撮影可能な倍率、すなわちステップＳ１０６で保持された静止画撮影可能な倍率よりも１段階望遠側の倍率を選択する。本例の場合、ズーミング動作が広角側から望遠側に向かっているので、ステップＳ７０４に移行し、ステップＳ１０６で保持された静止画撮影可能な倍率の次の1.2202倍を選択する。一方、ズーミング動作が望遠側から広角側に向かっている場合、ステップＳ７０２に移行し、ステップＳ１０６で保持された静止画撮影可能な倍率を選択する。
つまり、ライブビューの倍率が例えば1.1268倍で静止画撮影動作が行われた場合、広角側から望遠側にズームしている最中でも、望遠側から広角側にズームしている最中でも、静止画撮影の倍率は1.2202倍となる。
【００５６】
（第６の実施形態）
第６の実施形態では、静止画倍率決定処理（ステップＳ１２０）が第１の実施形態と異なる。なお、図１のデジタルカメラの構成や図２のライブビュー時における基本的な処理動作は第１の実施形態と同様であり、ここではその説明を省略する。
第４の実施形態のようにライブビューで表示している画角よりも広角側で撮影するか、第５の実施形態のようにライブビューで表示している画角よりも望遠側で撮影するかは、撮影シーン等に応じて自動で切り替えることが好ましい。
【００５７】
図８に、第４の実施形態における静止画倍率決定処理を示すフローチャートである。
まずライブビューの倍率が静止画撮影可能な倍率であるか否かを判定する（ステップＳ８０１）。ステップＳ８０１で静止画撮影可能な倍率である場合、ステップＳ１０６で保持された静止画撮影可能な倍率を選択する（ステップＳ８０２）。
【００５８】
ステップＳ８０１で静止画撮影可能な倍率でない場合、ステップＳ８０３に移行し、被写体、移動体の検出を行う。例えば画像処理回路２０に含まれる顔等の被写体検知部によって、被写体の位置や大きさを検出する。或いは、画像処理回路２０においてライブビューで得られた画像の特徴点を抽出し、その特徴点がどのように移動するかで移動体の位置や大きさを検出する。簡便な方法としてはライブビューの現在のフレームと過去のフレームの差分を取得することで、移動体の位置と大きさを検出してもよい。この場合、ズーミング動作中であるので過去のフレームと現在のフレームとでは画角が異なる。このため、差分を取得する手段は２つのフレームのうち狭い方の画角で評価を行う。なお、被写体及び移動体の検出はこれらの方法に限定されるものではなく、既存の技術が利用される。
【００５９】
次に、ステップＳ８０３の検出結果に応じて、ライブビューで表示している画角よりも広角側で撮影するか（広角優先モード）、望遠側で撮影するか（望遠優先モード）とするかを決定する（ステップＳ８０４）。なお、広角優先モードにおけるステップＳ８０６、Ｓ８０２、Ｓ８０８は、第４の実施形態で説明したステップＳ６０３、Ｓ６０２、Ｓ６０４と同様であり、ここではその説明を省略する。また、望遠優先モードにおけるステップＳ８０７、Ｓ８０２、Ｓ８０８は、第５の実施形態で説明したステップＳ７０３、Ｓ７０２、Ｓ７０４と同様であり、ここではその説明を省略する。広角優先モード／望遠優先モードの内容を表２にまとめる。
【００６０】
【表２】
2014206592.tif 000004
【００６１】
以下、ステップＳ８０４の広角優先モード／望遠優先モードの決定処理について詳細に説明する。
ステップＳ８０３で検出される被写体が動いている場合、その被写体が静止画撮影時に画角から外れたり、極端に端に写ったりするのを防止するために広角優先モードとする。
また、ステップＳ８０３で検出される被写体がライブビューの表示画角の端にある場合、広角優先モードとする。同様の理由で、ステップＳ８０３で検出される移動体がライブビューの表示画角の端にある場合、広角優先モードとする。
【００６２】
一方、ステップＳ８０３で検出される被写体がライブビューの表示画角の中心付近にある場合、上述したように連写速度を速める目的等のため望遠優先モードとする。
また、ステップＳ８０３で検出される被写体が予め決められた大きさよりも小さい場合、少しでも拡大するために望遠優先モードとする。
また、連写モードが搭載されるようなカメラにおいては、被写体や移動体に拘わらず望遠優先モードにすることも好ましい。ここでいう連写モードとは、スポーツ、ペット又は子供等の動きの多いものを撮るような専用モードや、ＨＤＲ（ハイ・ダイナミック・レンジ）撮影等のように複数枚の撮影を行って合成するモード等を含む。
なお、広角優先モード／望遠優先モードの決定処理に関して上記の方法は一例であり、当業者によって適宜最適な方法を選択可能である。
このようにすることで、広角優先で撮影するか、望遠優先で撮影するかの切換えの自動化が可能となる。
【００６３】
以上説明した実施形態では、撮影した静止画に関してもライブビューと同等の画角にトリミングした後に変倍処理を行った例を示した。しかしながら、上述した通りトリミングした画角をそのまま保存するようにしてもよい。この場合、ステップＳ１０６での静止画撮影可能な倍率の保持をトリミングサイズを保持するように変更することで可能である。
【００６４】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【００６５】
１４：撮像素子、２０：画像処理回路、２２：メモリ制御回路、２４：画像表示メモリ、２８：画像表示部、３０：メモリ、５０：システム制御回路、５２：メモリ、５６：不揮発性メモリ、６６：電子ズーム制御部、１００：カメラ本体、２００：記録媒体、３００：レンズユニット
【図１】
2014206592.tif 000005
【図２】
2014206592.tif 000006
【図３】
2014206592.tif 000007
【図４】
2014206592.tif 000008
【図５】
2014206592.tif 000009
【図６】
2014206592.tif 000010
【図７】
2014206592.tif 000011
【図８】
2014206592.tif 000012